(57)【要約】      （修正有）【課題】既設の戸にペット用扉を無加工で容易に後付けでき、不使用時には元の状態に戻すことができる戸のペット出入り口構造を提供する。【解決手段】網戸１と同じ高さの細長の補助戸本体に小動物のペットが通過できる大きさの開口部を形成し、上扉４ａと下扉４ｂを出入り両方向へ屈曲自在に連結したペット用扉４を前記開口部に出入り両方向へ揺動自在に吊り下げてペット出入り用補助戸３とする。使用するときは、網戸１を途中まで開けてペット出入り用補助戸３を網戸１と戸枠２の間に配置し、網戸１を閉めてペット出入り用補助戸３を挟むようにして取り付ける。不使用時は、網戸１を開けてペット出入り用補助戸３を取り外しても良いし、取り付けたままの状態にしても良い。【選択図】図１
0003177595.tif 000002
【実用新案登録請求の範囲】
【請求項１】
戸枠に対してスライドして開閉する戸において、その戸と同じ高さの細長の補助戸本体に小動物のペットが通過できる大きさの開口部を形成し、上扉と下扉を出入り両方向へ屈曲自在に連結したペット用扉を前記開口部に出入り両方向へ揺動自在に吊り下げてペット出入り用補助戸とし、そのペット出入り用補助戸を戸と戸枠の間に脱着可能に挟んで取り付けたことを特徴とする、戸のペット出入り口構造。
【請求項２】
ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、請求項１記載の戸のペット出入り口構造。
【請求項３】
戸の一部を小動物のペットが通過できる大きさに開口し、上扉と下扉を出入り両方向へ屈曲自在に連結したペット用扉を前記開口部に出入り両方向へ揺動自在に吊り下げ、ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、戸のペット出入り口構造。
【請求項４】
ペット用扉と開口部の間の隙間をシールするモヘアをペット用扉の外縁部又は開口部の内縁部に対して取り付けた、請求項１〜３いずれか記載の戸のペット出入り口構造。
【請求項５】
戸と同じ高さの細長の補助戸本体に小動物のペットが通過できる大きさの開口部を形成し、上扉と下扉を出入り両方向へ屈曲自在に連結したペット用扉を前記開口部に出入り両方向へ揺動自在に吊り下げた、ペット出入り用補助戸。
【請求項６】
ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、請求項５記載のペット出入り用補助戸。
【請求項７】
ペット用扉と開口部の間の隙間をシールするモヘアをペット用扉の外縁部又は開口部の内縁部に対して取り付けた、請求項５又は６記載のペット出入り用補助戸。
【考案の詳細な説明】
【技術分野】
【０００１】
本考案は、戸を閉めた状態でペットが室内外を出入りできるように設けられるペット用扉に関する。
【背景技術】
【０００２】
戸を閉めた状態で猫や小犬等のペットが室内外を自由に出入りできるようにペット用扉を設ける技術が特許文献１，２に開示されている。これらの技術は、戸の一部をペットが通過できる大きさに開口し、上扉と下扉を出入り両方向へ屈曲可能に連結したペット用扉を前記開口部に出入り両方向へ揺動可能に吊り下げた構造を特徴としている。
【０００３】
ところで、前記技術の戸は、ペット用扉を備えた構造であるから、一般の戸と比較して高価であり、既設の戸との交換にはコストを要していた。また、既設の戸を加工してペット用扉を取り付ける方法もあるが、手間や熟練を要して困難であり、不要になっても元に戻すことはできなかった。
【０００４】
一方、前記ペット用扉は、ペットの出入りや風によって揺れ動くから、ペット用扉と戸の開口部をマグネットで吸着させて揺れを止めるようにしている。しかし、ペットの力が小さい場合は、マグネットの磁力と摩擦が抵抗となってペット用扉を開けず、出入りできないことがあった。
【０００５】
また、ペット用扉は円滑に開閉できるように戸の開口部との間に隙間を設けているから、その隙間から虫等が侵入することがあった。
【先行技術文献】
【特許文献】
【０００６】
【特許文献１】特許第３６８８２５１号公報
【特許文献２】実用新案登録第３０９８２４９号公報
【考案の概要】
【考案が解決しようとする課題】
【０００７】
本考案が解決しようとする第１の課題は、既設の戸にペット用扉を無加工で容易に後付けでき、不使用時には元の状態に戻すことができるようにすることにある。第２の課題は、ペットの力が小さくてもペット用扉を楽に開くことができ、しかもペット用扉の揺れも確実に止めることができるようにすることにある。第３の課題は、ペット用扉の円滑な開閉を維持しながら、隙間からの虫等の侵入を防止できるようにすることにある。
【課題を解決するための手段】
【０００８】
かかる課題を解決した本考案の構成は、
１）  戸枠に対してスライドして開閉する戸において、その戸と同じ高さの細長の補助戸本体に小動物のペットが通過できる大きさの開口部を形成し、上扉と下扉を出入り両方向へ屈曲自在に連結したペット用扉を前記開口部に出入り両方向へ揺動自在に吊り下げてペット出入り用補助戸とし、そのペット出入り用補助戸を戸と戸枠の間に脱着可能に挟んで取り付けたことを特徴とする、戸のペット出入り口構造
２）  ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、前記１）記載の戸のペット出入り口構造
３）  戸の一部を小動物のペットが通過できる大きさに開口し、上扉と下扉を出入り両方向へ屈曲自在に連結したペット用扉を前記開口部に出入り両方向へ揺動自在に吊り下げ、ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、戸のペット出入り口構造
４）  ペット用扉と開口部の間の隙間をシールするモヘアをペット用扉の外縁部又は開口部の内縁部に対して取り付けた、前記１）〜３）いずれか記載の戸のペット出入り口構造
５）  戸と同じ高さの細長の補助戸本体に小動物のペットが通過できる大きさの開口部を形成し、上扉と下扉を出入り両方向へ屈曲自在に連結したペット用扉を前記開口部に出入り両方向へ揺動自在に吊り下げた、ペット出入り用補助戸
６）  ペット用扉の下扉の下端部にローラーを取り付け、ペット用扉を閉めた状態で前記ローラーと接触できる開口部位置に受け板を取り付け、その受け板と前記ローラーを互いが磁力で吸着する材質で構成した、前記５）記載のペット出入り用補助戸
７）  ペット用扉と開口部の間の隙間をシールするモヘアをペット用扉の外縁部又は開口部の内縁部に対して取り付けた、前記５）又は６）記載のペット出入り用補助戸
にある。
【考案の効果】
【０００９】
本考案の前記１）及び５）記載の構成によれば、使用するときは、戸を途中まで開けてペット出入り用補助戸を戸と戸枠の間に配置し、戸を閉めてペット出入り用補助戸を挟むようにして取り付ける。不使用時は、戸を開けてペット出入り用補助戸を取り外す。このように、既設の戸にペット用扉を無加工で容易に後付けすることができ、不使用時も元の状態に戻すことができる。戸が網戸の場合は、不使用時もペット出入り用補助戸を取り付けたままの状態にすることもできる。
【００１０】
本考案の前記２）、３）、６）記載の構成によれば、ペットがペット用扉を押して開けようとすると、ローラーが回転して受け板から円滑に離れる。ペットの出入りや強い風によってペット用扉が揺れ動いても、ローラーと受け板が磁力で吸着して直ぐに止まる。このように、開放はローラーの回転によって小さい力で済み、揺れは磁力によって確実に止めることができる。
【００１１】
本考案の前記４）及び７）記載の構成によれば、モヘアによって隙間がシールされて虫等が侵入し難くなる。また、モヘアは柔軟に変形するから、ペット用扉の開閉時に大きな抵抗にはならない。
【図面の簡単な説明】
【００１２】
【図１】実施例１のペット出入り用補助戸の正面図である。
【図２】実施例１のペット用扉の正面図である。
【図３】図２のＡ−Ａ線断面図である。
【図４】実施例１のモヘアの拡大断面図である。
【図５】実施例１のペット用扉の開閉を示す説明図である。
【図６】実施例２の網戸の正面図である。
【図７】実施例２のペット用扉の正面図である。
【考案を実施するための形態】
【００１３】
本考案の補助戸本体としては、プラスチック板、金属板、木板や、網材又はガラス板をフレームで枠組みしたもの等、戸として一般的に用いられているもので構成される。ローラー及び受け板としては、一方が磁石で他方が磁石と吸着する金属か、又は双方が磁石でも良い。磁石としては、フェライト磁石、アルニコ磁石、ネオジム磁石、ゴム磁石、プラスチック磁石等があり、求める磁力やコスト等に応じて選ばれる。モヘアとしては、ポリプロピレンやナイロン等があり、ペット用扉の外縁部か、又はペット出入り用補助戸や戸の開口部の内縁部のいずれかに取り付けられる。
【００１４】
戸としては、網戸、ガラス戸、雨戸、室内ドア、玄関ドア、勝手口ドア等があり、その構造としては、開き戸、引き戸、シャッター等がある。ペット用扉を戸に直接取り付ける場合は、これらの全ての戸に対して可能である。ペット用扉を備えたペット出入り用補助戸の場合は、引き戸やシャッターなど戸枠に対してスライドして開閉する戸に取り付けることができる。また、ガラス戸は単体の他、網戸と組み合わせたものがあり、ペット出入り用補助戸はガラス戸と網戸いずれにも取り付けることができる。以下、本考案の各実施例を図面に基づいて具体的に説明する。
【実施例】
【００１５】
（実施例１）図１〜５に示す実施例１は、ペット用扉４を備えたペット出入り用補助戸３を網戸１と戸枠２の間に脱着可能に挟んで取り付けた例である。ペット出入り用補助戸３は、アルミニウム合金製のフレームを網戸１と同じ高さで且つ３０ｃｍの幅に枠組みしている。下部には横桟３ａを取り付けて下方にペット用扉４を取り付けるための開口部を形成し、上方の開口部は網戸１の網と同じもので構成した面材３ｂを取り付けて塞いでいる。
【００１６】
ペット用扉４の上扉４ａと下扉４ｂは、プラスチック製の板材４ｃの周縁部にアルミニウム合金製の框材４ｄを取り付けた構造で、その上扉４ａと下扉４ｂを枢支軸４ｅで出入り両方向へ屈曲自在に枢支して連結し、その上扉４ａをペット出入り用補助戸３の開口部の左右に枢支軸４ｆで出入り両方向へ揺動自在に枢支して吊り下げている。框材４ｄには、モヘア７を取り付けるための凹所４ｇを備えている。
【００１７】
下扉４ｂの左右下端部にはネオジム磁石製のローラー５を取り付け、ペット出入り用補助戸３の開口部の左右下端部にはステンレス製の受け板６を取り付けている。上扉４ａと下扉４ｂの外縁部にはポリプロピレン製のモヘア７を取り付けている。モヘア７は、ペット用扉４と開口部の間の間隔よりやや長い長さに形成して基材７ａに植毛し、その基材７ａを框材４ｄの凹所４ｇに挿入している。図中、２ａは網戸１のレール、８はガラス戸である。
【００１８】
使用するときは、ガラス戸８を全開し、網戸１を途中まで開けてペット出入り用補助戸３を網戸１と戸枠２の間に配置し、網戸１を閉めてペット出入り用補助戸３を挟むようにして取り付ける。図３に示すように、平時のペット用扉４は自重で鉛直方向へ垂れ下がり、ローラー５が受け板６に磁力で吸着して閉めた状態が保持される。この状態では、風が吹いてもローラー５の磁力によって大きく揺れ動いたり開いたりすることはない。ペット用扉４と開口部の間の隙間はモヘア７によってシールされており、虫等が侵入し難くなっている。
【００１９】
ペットがペット用扉４を押して開けようとすると、図５に示すように、ローラー５が回転して受け板６から円滑に離れ、ペットは小さい力で容易に開けて出入りすることができる。このとき、ペット用扉４は屈曲して下扉４ｂが大きく開き、ペットにかかる荷重が軽減されてペットの首を挟みにくくなる。ペットが出入りした後のペット用扉４の揺れは、ローラー５の磁力で直ぐに止まる。モヘア７は開閉時に柔軟に変形するから、大きな抵抗にはならない。ガラス戸８を閉めるときは、ペット出入り用補助戸３を取り付けたままの状態にし、ペットを飼わなくなって不要になった場合などでは、網戸１を開けてペット出入り用補助戸３を取り外すことで元の状態に戻す。
【００２０】
（実施例２）図６，７に示す実施例２は、網戸１の一部を開口してペット用扉４を取り付けた例である。網戸１は、下隅部を高さ３０ｃｍ、幅２０ｃｍに開口し、上枠１ｃと縦枠１ｄを取り付けている。ペット用扉４は、その上扉４ａを縦框１ａと縦枠１ｄに枢支軸４ｆで出入り両方向へ揺動自在に枢支して吊り下げている。受け板６は、下框１ｂの左右に取り付けている。
【００２１】
ペットがペット用扉４を押して開けようとすると、実施例１と同じようにローラー５が回転して受け板６から円滑に離れ、ペットは小さい力で容易に開けて出入りすることができる。この例は、網戸１に予めペット用扉４を備えた構造であるから、ペット出入り用補助戸３の脱着作業を不要にできる。その他、符号、構成、作用効果は実施例１と同じである。
【産業上の利用可能性】
【００２２】
本考案の技術は、戸建住宅、アパートやマンション等の集合住宅の戸に利用される。
【符号の説明】
【００２３】
１    網戸
１ａ  縦框
１ｂ  下框
１ｃ  上枠
１ｄ  縦枠
２    戸枠
２ａ  レール
３    ペット出入り用補助戸
３ａ  横桟
３ｂ  面材
４    ペット用扉
４ａ  上扉
４ｂ  下扉
４ｃ  板材
４ｄ  框材
４ｅ  枢支軸
４ｆ  枢支軸
４ｇ  凹所
５    ローラー
６    受け板
７    モヘア
７ａ  基材
８    ガラス戸
【図１】
0003177595.tif 000003
【図２】
0003177595.tif 000004
【図３】
0003177595.tif 000005
【図４】
0003177595.tif 000006
【図５】
0003177595.tif 000007
【図６】
0003177595.tif 000008
【図７】
0003177595.tif 000009